(57)【要約】【課題】商品の買取者及び販売者を高効率的にマッチングして取引を成立させ、買取者及び販売者の双方にとっての負担が軽減される商品売買システム及び商品売買方法を提供する。【解決手段】買取者２はサーバー１にアクセスして買取を希望する買取品に関する買取情報の登録を行う一方、販売者３はサーバー１にアクセスして提供可能な提供原資に関する提供情報の登録を行う。サーバー１は、登録された買取情報に基づき既に格納されている提供情報を参照してマッチングを行い、マッチングの結果、買取者２が買取を希望する買取品に相関する提供原資があると判断した場合は、販売者３にその旨の通知を行う。この通知を受けて、販売者３は販売情報とともに応札登録を行う。販売者３は、提供情報と販売情報とを使い分け、提供情報は大雑把なものとし、販売情報は詳細なものとすることで出品負担が軽減される。【選択図】図６
2017162139.tif 000002
【特許請求の範囲】
【請求項１】
買取者が買取を希望する買取品に関する買取情報を格納する買取情報データベースと、販売者が販売提供可能な提供原資に関する提供情報を格納する提供情報データベースと、前記買取情報と前記提供情報とをマッチングするマッチング手段と、前記マッチング手段によるマッチングの結果に基づいて買取者及び販売者の取引を処理する取引処理手段と、を備える商品売買システムであって、
前記マッチング手段は、買取品に相関する提供原資との関係からマッチングの成否を判断し、マッチング成立と判定した場合には、前記取引処理手段は、提供原資に相関された買取品に関して販売者が販売可能な販売情報を買取者に表示可能としたことを特徴とする商品売買システム。
【請求項２】
販売者による前記販売情報の登録は、前記マッチング手段によるマッチング成立に応ずる場合に可能となることを特徴とする請求項１記載の商品売買システム。
【請求項３】
販売者が希望する取引価格は、前記提供情報には含まれず、前記販売情報に含まれることを特徴とする請求項１又は２記載の商品売買システム。
【請求項４】
買取者及び販売者の所在地や連絡先に関する個人情報を格納する個人情報データベースを備え、
前記取引処理手段は、予め格納された個人情報のうち買取者の所在地に関する一部情報を取引成立前に販売者に表示可能とし、買取者の所在地に関する情報を取引成立後に販売者に表示可能としたことを特徴とする請求項１から３のいずれか記載の商品売買システム。
【請求項５】
買取者が買取を希望する買取品に関する買取情報を格納する買取情報データベースと、販売者が販売提供可能な提供原資に関する提供情報を格納する提供情報データベースと、前記買取情報と前記提供情報とをマッチングするマッチング手段と、前記マッチング手段によるマッチングの結果に基づいて買取者及び販売者の取引きを処理する取引処理手段と、を備える商品売買システムにおける商品売買方法であって、
前記マッチング手段により、買取品に相関する提供原資との関係からマッチングの成否を判断し、マッチング成立と判定した場合には、前記取引処理手段により、買取品に相関された提供原資に関して販売者が販売可能な販売情報を買取者に表示可能としたことを特徴とする商品売買方法。
【請求項６】
販売者による前記販売情報の登録は、前記マッチング手段によるマッチング成立に応ずる場合に可能となることを特徴とする請求項５記載の商品売買方法。
【請求項７】
販売者が希望する取引価格は、前記提供情報には含まれず、前記販売情報に含まれることを特徴とする請求項５又は６記載の商品売買方法。
【請求項８】
前記商品売買システムは、買取者及び販売者の所在地や連絡先に関する個人情報を格納する個人情報データベースを備え、
前記取引処理手段は、予め格納された個人情報のうち買取者の所在地に関する一部情報を取引成立前に販売者に表示可能とし、買取者の所在地に関する情報を取引成立後に販売者に表示可能としたことを特徴とする請求項５から７のいずれか記載の商品売買方法。
【発明の詳細な説明】
【技術分野】
【０００１】
本発明は、商品の買取者及び販売者を仲介する商品売買システム及び商品売買方法に関し、特に買取者のリクエストを契機として仲介取引をスタートさせるものに関する。
【背景技術】
【０００２】
中古部品の買取者及び販売者を仲介する中古部品売買市場においては、買取者と販売者とのマッチングを効率よく行う取組みがなされている。このような取組みは、特に自動車の修理業者、板金業者や解体業者などでよく行われており、従来のＦＡＸや電話による取引に代えて、近年ではインターネットによる取引が盛んになっている。
【０００３】
例えば、特許文献１記載の取引では、部品購入者と部品提供者との間の取引は、部品購入者から購入希望の部品通知を受けると、部品提供者が部品購入者に見積書情報を送信することで行われ、部品購入者が複数の場合にはオークションが行われる。これにより、購入者に対する中古部品の提供を効率的に行い、中古部品の在庫管理の労力及び費用を低減できるとしている。
【０００４】
また、特許文献２記載の取引では、購入者からのリクエスト情報によって、リクエスト情報に係る廃棄予定車両を生産者に引き渡すことが行われる。これにより、購入者は自己の希望に係るものが廃棄予定車両の中にある場合には、その車両又は部品を確実に入手することができ、生産者は、その車両又は部品は売れることが確定しているので、在庫として保有する必要がなくなり、生産や事務の高効率化を図ることができるとしている。
【先行技術文献】
【特許文献】
【０００５】
【特許文献１】特開２００３−１５０８１７号公報（［０００９］−［００１１］）
【特許文献２】特開２００４−２４０６４９号公報（〔００１１〕−［００１３］）
【発明の概要】
【発明が解決しようとする課題】
【０００６】
しかしながら、特許文献１及び特許文献２は、購入者からの部品通知・リクエストが提供者に供給されることとなるが、提供者が受け取る部品通知・リクエストの中には、提供者によっては不要な（在庫がない）情報も含まれており、その峻別をしなければならないという新たな労力や負担が発生する。これは、従来から存在するオークション形式でも同じことで、購入者が希望するものが提供者によって出品されているか否かを調べるだけでも購入者に労力や負担を強いることになっている。
【０００７】
また、特許文献１及び特許文献２は、購入者からの希望価格は反映されず、提供者からの販売価格又は最低落札価格によって取引がスタートしており、購入者の意向に沿った取引形態とは言い難い。これは、従来から存在するオークション形式でも同じことで、出品時点での最低落札価格と入札時点での市場相場とに著しい乖離がある場合、入札時点における購入者の意向に沿ったものではなく、リアルタイムで市場相場にマッチした取引形態とは言い難い。
【０００８】
また、特許文献２は、購入者からのリクエスト情報によって部品の生産を行い、リクエスト情報がなければ廃棄されるシステムであるが、リクエストの有無という一過性の情報によって生産か廃棄を判断していたのでは、約３０％程度という供給率の低さを大きく改善することはできない。むしろ、在庫を保有しつつも、生産や事務の高効率化を図ることができる取引形態が望まれる。
【０００９】
そこで、本発明は、商品の買取者及び販売者を高効率的にマッチングして取引を成立させ、買取者及び販売者の双方にとっての負担が軽減される商品売買システム及び商品売買方法を提供する。
【課題を解決するための手段】
【００１０】
上記課題を解決するために、本発明は、以下のものを提供する。
【００１１】
（１）  本発明の商品売買システム及び商品売買方法は、買取者が買取を希望する買取品に関する買取情報を格納する買取情報データベースと、販売者が販売提供可能な提供原資に関する提供情報を格納する提供情報データベースと、前記買取情報と前記提供情報とをマッチングするマッチング手段と、前記マッチング手段によるマッチングの結果に基づいて買取者及び販売者の取引を処理する取引処理手段と、を備え、前記マッチング手段は、買取品に相関する提供原資との関係からマッチングの成否を判断し、マッチング成立と判定した場合には、前記取引処理手段は、提供原資に相関された買取品に関して販売者が販売可能な販売情報を買取者に表示可能としたことを特徴とする。
【００１２】
本発明によれば、まず、買取者は買取品に関する買取情報を登録する一方、販売者は提供原資に関する提供情報を登録し、次に、両情報のマッチングが行われ、マッチング成立によって、販売者は販売情報を登録して買取者に表示可能としている。これにより、買取者にとっては買取を希望する買取品を探す手間を省くことに資し、提供者にとっては提供情報と販売情報とを使い分けることで在庫に対する事務負担の軽減に資する。よって、買取者及び販売者の双方にとっての負担が軽減されることとなる。
【００１３】
また、マッチング手段は、買取品に相関する提供原資との関係からマッチングの成否を判断する。これにより、買取者の希望する買取品に関するリクエストを契機として、販売者の提供可能な提供原資との紐付けを行うことから、提供原資に関する提供情報は紐付けに必要な最低限度の情報で足り、販売者にとって在庫に対する事務負担の軽減に資する。さらに、取引処理手段は、提供情報とは異なる（買取情報に付加された）販売情報を買取者に表示可能としたことから、買取者が買取を判断するのに必要な情報を販売者は提供すればよい。このように、提供情報と販売情報とを使い分けて処理することから、販売者にとっては、提供原資という在庫を保有しつつも、在庫の詳細な管理や在庫から買取品の生産は必要に応じて行なえばよく、生産や事務の高効率化を図ることができる。
【００１４】
（２）  本発明の商品売買システム及び商品売買方法は、販売者による前記販売情報の登録は、前記マッチング手段によるマッチング成立に応ずる場合に可能となることを特徴とする。
【００１５】
本発明によれば、販売者によって登録が可能な提供情報及び販売情報のうち、販売情報はマッチング成立に応ずる場合とすることで、その時機に適応した販売情報の登録を販売者に期待することができるとともに、買取者の意向を示す買取情報を参照しつつ販売情報の登録を行うことから、買取者の意向に沿った、リアルタイムで市場にマッチした取引形態を提供することができる。
【００１６】
（３）  本発明の商品売買システム及び商品売買方法は、販売者が希望する取引価格は、前記提供情報には含まれず、前記販売情報に含まれることを特徴とする。
【００１７】
本発明によれば、販売者が希望する取引価格は、提供情報データベースに格納された提供情報としては記憶されず、販売情報として取引処理手段を通じて買取者に表示可能となる。この点、従来のオークション形式や逆オークション形式は、マッチング処理と取引処理が同時並行的に行われるシステムであることから、売買情報の登録時点とマッチング・取引時点とにおける情報の乖離、特に市場相場を考慮した取引価格の乖離が著しい場合もある。本発明は、マッチング処理で必要な提供情報と取引処理で必要な販売情報とを区分し、取引価格を販売情報として登録することから、このような乖離を防ぐことができる。また、販売情報を登録する必要が生じた場合に取引価格の設定を行えばよいことから、取引価格を設定するための在庫の詳細な管理や在庫から買取品の生産を予め行う必要がなく、生産や事務の高効率化を図ることができる。
【００１８】
なお、買取者が希望する買取品の買取価格は、買取情報データベースに格納された買取情報として記憶される。販売者は、この買取情報を参考にしつつ取引価格を決定することができ、買取者の意向に沿う取引形態を提供することができる。
【００１９】
（４）  本発明の商品売買システム及び商品売買方法は、買取者及び販売者の所在地や連絡先に関する個人情報を格納する個人情報データベースを備え、前記取引処理手段は、予め格納された個人情報のうち買取者の所在地に関する一部情報を取引成立前に販売者に表示可能とし、買取者の所在地に関する情報を取引成立後に販売者に表示可能としたことを特徴とする
【００２０】
本発明によれば、買取者及び販売者の個人情報を開示するタイミングを取引成立後とする一方、取引成立前には取引に必要な情報を一部開示することで、プライバシーに配慮した取引形態を提供することができる。また、取引に不必要な余計な情報を管理する必要がなくなることから、買取者及び販売者の双方にとっても負担が軽減される。特に、所在地の情報は買取品を配送する際の送料の決定に影響することから、販売者は買取者の所在地に関する一部情報によって送料を決定することができ、買取者は取引価格及び送料の合計金額を勘案して買取を判断することができる。
【発明の効果】
【００２１】
本発明の商品売買システム及び商品売買方法は、主として買取者の意向に沿った取引を契機としてリアルタイムで市場にマッチした取引形態を提供し、買取者及び販売者の双方にとっての負担を軽減することができるという効果がある。
【図面の簡単な説明】
【００２２】
【図１】本発明の実施の形態に係る商品売買システムの概略図。
【図２】本発明の実施の形態に係る商品売買システムにおけるサーバーのブロック図。
【図３】買取情報を生成するための情報入力例を示す図。
【図４】提供情報を生成するための情報入力例を示す図。
【図５】販売情報を生成するための情報入力例を示す図。
【図６】本発明の実施の形態に係る商品売買システムの処理手順を示す図。
【図７】本発明の実施の形態に係る商品売買システムの処理手順を示す図。
【発明を実施するための最良の形態】
【００２３】
以下、本発明の実施の形態について図面に基づいて説明する。なお、本発明の実施の形態に係る商品売買システム及び商品売買方法は、買取品として自動車の中古部品を例に挙げて説明するが、自動車に限らず自転車、バイク、時計、パソコン、携帯電話、スマートフォン、タブレット等どのような商品であってもよい。
【００２４】
図１は、本発明の実施の形態に係る商品売買システムの概略図であり、インターネット等の通信回線に接続されたサーバー１を介して買取者２と販売者３とが売買取引を行うものであり、買取者２及び販売者３が使用するパソコン、タブレット等の情報通信機器を通じてサーバー１と情報の送受信を行う。なお、買取者２の情報通信機器を便宜上「買取者２」と表記し、販売者３の情報通信機器を便宜上「販売者３」と表記して説明する。
【００２５】
図２は、本発明の実施の形態に係る商品売買システムにおけるサーバー１のブロック図である。サーバー１は、通信制御手段１１、マッチング手段１２、記憶手段１３、取引処理手段１４等を有し、各手段はバスにより接続され、それぞれの機能がインターネットを通じたクラウドコンピューティングシステムによって実行される。
【００２６】
通信制御手段１１は、買取者２及び販売者３による指令又は入力内容を解釈してこれを各手段に与えるとともに、記憶手段１３から発せられる各種の表示指令を解釈して買取者２及び販売者３に対する出力制御を行うインターフェースとして機能する。また、買取者２及び販売者３による入力内容を記憶手段１３に各種データとして書き込んだり、買取者２及び販売者３に出力する各種データを読み込んだりするインターフェースとして機能する。
【００２７】
記憶手段１２は、メインメモリ（ＲＡＭ）におかれる作業領域１２ａと、ディスク装置（フロッピーディスク、ハードディスク又は光磁気ディスク等）等の二次記憶装置におかれるデータ記憶領域１３ｂと、画面定義記憶領域１３ｃと、を有している。
【００２８】
作業領域１２ａは、本システムの起動とともに確保されて、本システムにおいて入出力される各種データが一時的に記憶される領域である。データ記憶領域１２ｂは、作業領域１２ａに一時的に記憶されたデータについてセーブ要求があったときに、書き込み制御を通じてデータが半恒久的に記憶される領域である。画面定義記憶領域１２ｃは、買取者２及び販売者３に出力して表示すべき各種画面の画面定義情報が予め記憶された領域であり、表示すべき画面設定のフォーマット情報を含んでいる。
【００２９】
データ記憶領域１２ｂは、買取情報データベース１２ｂ１、提供情報データベース１２ｂ２、販売情報データベース１２ｂ３、個人情報データベース１２ｂ４、マスター情報データベース１２ｂ５、その他種々のデータベースに区画されている。
【００３０】
買取情報データベース１２ｂ１は、買取者が買取を希望する中古部品に関する買取情報を格納する。買取情報は買取者２から送信される情報によって生成され、具体的には、サーバー１の指令によって図３に示すような入力画面が買取者２側に表示されることから、メーカー、車名、型式、パーツ品質ランク、類別区分番号、パーツ名、パーツ場所、パーツ区分、パーツ詳細、基幹、希望価格、希望送料、備考を買取者は入力して送信する。買取情報としては、図３に示すような全てを入力するのではなく、希望する中古部品を特定できる程度に一部を入力してもよく、テキストによる入力間違いを防止するために、マスター情報データベース１２ｂ５やその他種々のデータベースから得られる情報をドロップダウン形式で表示して選択する入力形式であってもよい。
【００３１】
提供情報データベース１２ｂ２は、販売者が販売提供可能な提供原資に関する提供情報を格納する。提供情報は販売者３から送信される情報によって生成され、具体的には、サーバー１の指令によって図４に示すような入力画面が販売者３側に表示されることから、保有する提供原資のメーカー、車名、型式、類別区分番号、パーツ区分、パーツ名を販売者は入力して送信する。提供情報としては、図４に示すような全てを入力するのではなく、少なくともメーカー、車名、型式などのマッチングに必要な情報を入力するものとし、入力間違いを防止するために、マスター情報データベース１２ｂ５やその他種々のデータベースから得られる情報をドロップダウン形式で表示して選択する入力形式であってもよい。このように、提供情報は簡略化することで、売れるか売れないか分からない中古部品の把握や管理に要する販売者の労力を軽減する。
【００３２】
販売情報データベース１２ｂ３は、販売者がマッチングに応じる場合に買取者が買取を希望する中古部品に関する販売者の保有状況と取引条件を販売情報として格納する。販売情報は販売者３から送信される情報によって生成され、具体的には、サーバー１の指令によって図５に示すような入力画面が販売者３側に表示されることから、パーツ品質ランク、応札価格、予定送料、検品日数、状態写真を販売者は入力して送信することで、買取情報と紐付いた状態で生成される。このように、販売情報は、実際に売れる見込みのある買取情報を待ってから登録すればよく、パーツ品質、価格、状態写真といった事務負担の大きい作業を提供時点ではなくして販売時点で行うようにするので、売れるか売れないか分からない中古部品の把握や管理に要する販売者の労力を軽減する。
【００３３】
また、販売情報と買取情報とは紐付けされており、マッチング成立後に取引が成立しなかった場合は、販売情報は販売情報データベース１２ｂ３から削除される。システム構成として、提供情報と販売情報とを紐付けすると、取引不成立によっても提供情報が存在する限り販売情報も紐付けられたままであるが、買取情報と販売情報とを紐付けることで、取引不成立によって買取者と販売者との関係は断ち切られることから、両情報の紐付けもなくなり、買取者のリクエストを契機とする本システムにおける買取情報の優位性を保つことができる。また、販売情報の削除によって、サーバー容量の増大を抑制することができる。写真画像等を含む販売情報のデータ量は大きく、これがどんどん蓄積されるとサーバー容量の増大に繋がる一方、販売情報の削除は買取情報に紐付けられていることから、取引不成立によって販売情報は削除され、また取引成立や買取情報の削除によっても販売情報は削除されることから、無人造にサーバー容量が増え続ける通常のインターネットモールとは異なり、販売情報の蓄積をコントロールしてサーバー容量の増大を防ぐことができる。
【００３４】
個人情報データベース１２ｂ４は、買取者及び販売者の会社名、担当者名、メールアドレス、郵便番号、都道府県、住所、電話番号等の個人情報を格納する。また、マスター情報データベース１２ｂ５やその他種々のデータベースは、パーツ区分マスター情報（車体、タイヤ、ホイール、バンパー、ドア、ナビ、オーディオなど）、パーツ場所マスター情報、パーツ品質ランクマスター情報（部品状態：Ａ〜Ｄなど、無保証などのランク）、メーカーマスター情報、メーカー車名マスター情報、型式番号マスター情報、類別区分番号マスター情報など種々の情報を格納する。
【００３５】
マッチング手段１３は、買取情報と提供情報とをマッチングするものであり、中古部品に相関する提供原資との関係からマッチングの成否を判断する。取引処理手段１４は、マッチング手段１３によるマッチングの結果に基づいて買取者及び販売者の種々の取引を処理するものである。これらの具体的な処理手順は後述する。
【００３６】
図６及び図７は、本発明の実施の形態に係る商品売買システムの処理手順を示す図である。本システムは、インターネット等の通信回線に接続されたサーバー１を介して買取者２と販売者３との情報通信機器によって売買取引を行うものである。
【００３７】
まず、買取者２はサーバー１にアクセスし、初回アクセス時には個人情報やＩＤ・ＰＷの会員登録、会員登録後はＩＤ・ＰＷによるログインを行った後、買取情報の登録を行う。買取情報の登録に際しては、データ記憶領域１２ｂのデータベース内から図３に示すような入力フォームが買取者２に提供され、買取者２が入力した買取情報は、買取者２からサーバー１に送信されることで買取情報データベース１２ｂ１に格納される。
【００３８】
一方、販売者３はサーバー１にアクセスし、初回アクセス時には個人情報やＩＤ・ＰＷの会員登録、会員登録後はＩＤ・ＰＷによるログインを行った後、提供情報の登録を行う。提供情報の登録に際しては、データ記憶領域１２ｂのデータベース内から図４に示すような入力フォームが販売者３に提供され、販売者３が入力した提供情報は、販売者３からサーバー１に送信されることで提供情報データベース１２ｂ２に格納される。
【００３９】
本システムでは、買取情報データベース１２ｂ１に格納された買取情報と提供情報データベース１２ｂ２に格納された提供情報とのマッチングを買取情報が登録された段階で行う。すなわち、マッチング手段１３は、登録された買取情報に基づき既に格納されている提供情報を参照する。なお、マッチングのタイミングは、買取情報が登録された時点や所定のタイムスケジュールなど種々の設定を行うことができる。
【００４０】
登録された買取情報と提供情報とのマッチングは、買取者２の買取情報を契機として行い、その際に比較対象とする重点情報は提供情報である。すなわち、買取情報及び提供情報に共通するのは車種という大項目であり、パーツの詳細という中項目は買取情報にはあるが提供情報にはない場合もあり、さらに品質や価格という小項目は提供情報にない。互いに共通する蓋然性が高い提供情報に比重を置き、買取情報に相関する提供情報との関係から中古部品と提供原資とを関係付けることで、登録される情報内容に相違があり、買取者２や販売者３の登録内容による相違があっても、高効率的にマッチングを行うことができる。
【００４１】
マッチング手段１３によるマッチングの結果、買取者が買取を希望する中古部品に相関する提供原資があると判断した場合は、マッチング手段１３は販売者１にその旨の通知を行う。この通知を受けて、販売者３はサーバー１に対して応札登録を行うこととなり、データ記憶領域１２ｂのデータベース内から図５に示すような入力フォームが販売者３に提供され、販売者３が入力した販売情報は、販売者３からサーバー１に送信されることで販売情報データベース１２ｂ３に格納される。
【００４２】
本システムでは、マッチング手段１３によるマッチングの成立を、販売者３に通知を行う段階又は通知を受けた販売者３が応札する段階としている。いずれにせよ、応札によって販売情報がサーバー１に登録されると、取引処理手段１４によってその旨を買取者２に通知し、買取者２がサーバー１にアクセスして販売情報を表示せしめることで買取情報の表示を可能としている。
【００４３】
買取者２に表示された買取情報に基づき、買取者２は応札されている物件に入札して申し込む。すなわち、取引処理手段１４は、買取者２による申込情報がサーバー１に送信されると、買取者２と販売者３との取引処理システムに遷移する。この際、販売者３には、入札があった旨の通知とともに買取者２の所在地に関する一部情報（例えば、郵便番号のみ、行政区画名のみ）を通知する。この一部情報の通知によって販売者２は送料を確定することができ、確定送料とともに取引承諾の情報をサーバー１に送信する。これを受けて、取引処理手段１４は取引成立と判断し、以後、決済処理やキャンセル処理等の種々の処理を行う。
【００４４】
１の買取情報に対し複数の販売情報が提供された場合には、買取者２は１の販売情報のみに入札して申し込む。例えば、中古部品Ａを買取希望するのに対し、同じ中古部品Ａで価格が２０，０００円、色違いの中古部品Ｂで価格が１５，０００円の応札があった場合、買取者は高い中古部品Ａを買取るか、安い中古部品Ｂを買取って塗装し直すか、という判断を買取者はすることになる。どういう状態・価格を求めるかは買取者次第であることから、応札があった複数の販売情報を全て買取者２に提供する。
【００４５】
買取者２と販売者３との決済完了により、取引処理手段１４は、買取者２には販売者の連絡先情報を通知し、販売者３には買取者の連絡先情報を通知する。なお、サーバー１の運営会社が決済代行・仲介する場合で、売掛・買掛による決済の場合には、決済完了のフラグを立てることで決済完了とする。
【００４６】
また、本システムでは、買取者２及び販売者３に送る通知内容はサーバー１で監視されており、通知内容に不適切な文章が含まれている場合には、通知を一旦保留している。例えば、買取希望商品や販売希望商品等に関する備考に、住所、電話番号、メールアドレス等の個人情報が含まれている場合には、サーバー１の監視機能が働き、サーバー１の運営管理者による承諾がなければ相手方に通知できないようにしている。
【産業上の利用可能性】
【００４７】
本発明に係る商品売買システム及び商品売買方法は、買取者の要求に適応でき、販売者の出品労力や在庫管理負担を軽減することができ、買取者及び販売者を高効率的にマッチングして取引を成立させるものとして有用である。
【符号の説明】
【００４８】
１  サーバー
２  買取者（情報通信機器）
３  販売者（情報通信機器）
１１  通信制御手段
１２  記憶手段
１３  マッチング手段
１４  取引処理手段
【図１】
2017162139.tif 000003
【図２】
2017162139.tif 000004
【図３】
2017162139.tif 000005
【図４】
2017162139.tif 000006
【図５】
2017162139.tif 000007
【図６】
2017162139.tif 000008
【図７】
2017162139.tif 000009